(57)【特許請求の範囲】
【請求項１】
缶を開封するためのキャンプッシュオープナーであって、
円筒状の切刃本体と該切刃本体の外周を覆う外筒からなり、
切刃本体は一方の端面に、複数の切刃を突出して設け、他方の端面には、切刃本体を押圧するための押圧部を設け、
外筒は、切刃が設けられている同一の方向の端面に缶縁と嵌合する溝部が設けられており、
切刃本体が外筒内を摺動することにより切刃が缶を開封することを特徴とするキャンプッシュオープナー。
【請求項２】
切刃本体と外筒は、切刃本体が外筒内に収納保持されるように係止部材が設けられていることを特徴とする請求項１記載のキャンプッシュオープナー。
【請求項３】
押圧部には、持ち手が設けられていることを特徴とする請求項１又は請求項２記載のキャンプッシュオープナー。
【発明の詳細な説明】
【技術分野】
【０００１】  本発明は、缶詰めの蓋の開封が容易なキャンプッシュオープナーに関するものである。
【背景技術】
【０００２】  従来の缶切りは、缶蓋を徐々に開封するため時間を要していた。また、開封時に中身が飛びだすことが多かった。【０００３】  ２０１３年の調査（ｈｔｔｐｓ：／／ｋａｋａｋｕ．ｃｏｍ／ｔｖ／ｃｈａｎｎｅｌ＝４／ｐｒｏｇｒａｍＩＤ＝２５６６０／ｐａｇｅ＝５３２０／  「価格．ｃｏｍ  テレビ紹介情報」）によると国内産缶詰の８０パーセントは缶切りを必要としないイージーオープン型（以下ＥＯ缶）が普及していることが分かった。そのため、現在はさらに普及率が増加していると考える。缶切りを必要とする缶詰は衝撃に強く、長期保存が可能である。ＥＯ缶も衝撃に強く、長期保存は可能ではあるが缶切りが必要な缶には劣る。ＥＯ缶が便利であるにも関わらずに完全移行しない理由は以下のように考えられる。大手メーカーであれば資金力が豊富であることから工場のラインをＥＯ缶に変更することも比較的容易であるが、資金力のない中小企業では数千万から数億円の設備投資は現実的には難しい。【０００４】  いまだにＥＯ缶への変更が出来ていない缶詰メーカーでは、そのような設備投資を行なう資金力がなく、結果的に従来の缶詰を製造し続けるしかないのだと推察する。【０００５】  また、自衛隊の戦闘食糧（ｈｔｔｐｓ：／／ｗｗｗ．ｍｏｄ．ｇｏ．ｊｐ／ｐｃｏ／ｋａｎａｇａｗａ／ｋｏｕｈｏ／ｋａｎ／ｋａｎ．ｈｔｍｌ  「防衛省・自衛隊  神奈川地方協力本部」）では缶切りを必要とする形式のものが採用されている。【０００６】  従来の缶切りは、缶に刃を刺し、梃子の原理を用いて缶を切り開いていく。これは開封時に勢いで汁が飛んでしまう可能性がある。また、「Ｆｅｌｉｏ  缶オープナー」では缶のふちに製品を挟めてハンドルを回すと缶のふちに製品が押し込まれて缶の蓋が取れる製品である。これら従来の缶切りのもう一つのデメリットとして、時間がかかることが挙げられる。
【先行技術文献】
【非特許文献】
【０００７】ｈｔｔｐ：／／ｗｗｗ．ｆｕｊｉｓｈｏ．ｊｐ／ｉｔｅｍ−ｋｉｔｃｈｅｎ．ｈｔｍｌ  「キッチン用品  Ｆｅｌｉｏ」【０００８】
0006771135.tif 000002
【発明の概要】
【発明が解決しようとする課題】
【０００９】  解決しようとする問題点は、開封時に缶の中身が飛ぶことを防ぎ、誤って缶切りの刃で自他共に傷つかないような構造とする安全性を考慮し、従来の缶切りよりも短時間で開封できるキャンプッシュオープナーを提供することを課題とする。
【課題を解決するための手段】
【００１０】  本発明は、缶を開封するためのキャンプッシュオープナーであって、円筒状の切刃本体と該切刃本体の外周を覆う外筒からなり、切刃本体は一方の端面に、複数の切刃を突出して設け、他方の端面には、切刃本体を押圧するための押圧部を設け、外筒は、切刃が設けられている同一の方向の端面に缶縁と嵌合する溝部が設けられており、切刃本体が外筒内を摺動することにより切刃が缶を開封することを特徴とするキャンプッシュオープナーである。
【発明の効果】
【００１１】  本発明のキャンプッシュオープナーは、装置の上部から押すことで缶詰めの蓋を切れるため、ＥＯ缶特有の飛び散りはなく、缶のふちに触れることなく缶の蓋を開けられる。また、押すだけであるので缶を開ける時間が短いという利点がある。
【図面の簡単な説明】
【００１２】
【図１】キャンプッシュオープナーの完成図である。
【図２】キャンプッシュオープナーの各部品を示した図である。（ａ）押圧部、（ｂ）持ち手である。
【図３】キャンプッシュオープナーの切刃本体を示した図である。（ａ）正面図、（ｂ）右側面図である。
【図４】キャンプッシュオープナーの外筒を示した図である。（ａ）正面図、（ｂ）下方よりの斜視図である。
【図５】キャンプッシュオープナーのストッパーピンを示した図である。（ａ）斜視図、（ｂ）正面図である
【図６】キャンプッシュオープナーの切刃本体の組み立て手順を示した図である。（ａ）切刃に押圧部を取り付けた状態、（ｂ）押圧部に持ち手を下方より取り付けた状態である。
【図７】キャンプッシュオープナーの外筒に切刃本体を取り付けた状態を示した図である。（ａ）外筒に切刃本体が収納された状態、（ｂ）外筒から切刃本体が表出した状態である。
【図８】キャンプッシュオープナーの切刃本体が外筒内に係止部材により保持されている状態を示した図である。
【発明を実施するための形態】
【００１３】  キャンプッシュオープナーの完成図は図１で示しており、図２〜５の部品で構成されている。
【実施例】
【００１４】  図１に示しているキャンプッシュオープナーを缶の上に置き、垂直に上から押すだけである。このため、缶を開けるまでに時間がかからない。問題点である、缶を開けたときに噴出される内容物は図２に示している外筒２で防ぎ、外筒２と切刃本体３に設けてある係止部により安全性、利便性を考慮した。【００１５】  図２に示している押圧部１ａには持ち手１ｂが嵌合する。持ち手１ｂ部分は握りやすい凸凹とした形状にした。【００１６】    図３に示している切刃本体３は一方の端面に、複数の切刃３ｃを突出して設けてある。また、切刃３ｃは鋭利な形状にした。缶に刺した後は切刃本体３を押していくことにより、切刃３ｃが缶に侵入して缶を開けられる。その側面には係止部の一部となるストッパーピン貫通孔３ｂが設けてある。また、切刃本体３の内側にはかえし３ａが設けてある。かえし３ａは缶を開封した際に切り抜かれた缶蓋を取り出す目的として設けてある。これにより、キャンプッシュオープナーを外すときに缶の蓋も一緒に取れるので手も汚れず、安全である。さらに、このキャンプッシュオープナーの切刃本体３は取り外しが容易なため、洗浄や収納などの後処理が容易である。【００１７】  図４に示している外筒２は、その内部に切刃本体３が摺動自在に嵌装される。切刃本体３が設けられている同一の方向の端面に缶縁と嵌合する溝部が設けており、又、その側面には係止部の一部となるストッパーピン貫通孔２ｂが設けてある。溝部２ａを設けたことにより、缶縁で外筒２が固定されるのでキャンプッシュオープナーがずれることが無い。【００１８】  図５に示しているストッパーピン４は、切刃本体３が外筒内に収納保持されるよう切刃本体３及び外筒２のストッパーピン貫通孔２ｂ、３ｂに貫通して載置される。【００１９】  図６は切刃本体３に押圧部１ａと持ち手１ｂを組み立てる工程を示す。押圧部１ａに切刃本体３を固定し、次に切刃３の下方より持ち手１ｂを押圧部１ａに取り付ける。【００２０】  図７に示すように、ストッパーピン４を逆Ｔ字状のストッパーピン貫通孔２ｂ、３ｂの縦部に移動させると、切刃本体３が摺動可能となるので、押圧部１ａを押し込むことが可能となり、切刃本体３が外筒２から表出することとなり缶を開封することができる。【００２１】  図８に示すように、ストッパーピン４を逆Ｔ字状のストッパーピン貫通孔２ｂ、３ｂの横部に移動させると、外筒２に対して切刃本体３が摺動不能となり切刃本体３が外筒２より表出することを防ぐ。
【産業上の利用可能性】
【００２２】  キャンプッシュオープナーは、使い方が容易である。また、切刃３ｃの形状を鋭利にし、押圧可能な機構としたことにより力が弱い人にも開けられる。また、外筒２と切刃本体３に設けられた係止部材による表出防止機能により安全性を高めた。さらに、持ち手１ｂの握りやすい形状、外筒の溝部２ａによる缶との嵌合により利便性を向上させた。これにより、力が弱い人や高齢の人も使用可能である。
【符号の説明】
【００２３】１ａ  押圧部
１ｂ  持ち手
２    外筒
２ａ  溝部
２ｂ  ストッパーピン貫通孔
３    切刃本体
３ａ  かえし
３ｂ  ストッパーピン貫通孔
３ｃ  切刃
４    ストッパーピン
【要約】
【課題】      缶詰めの蓋の開封が容易な缶切り
【解決手段】  本発明は、缶を開封するためのキャンプッシュオープナーであって、円筒状の切刃本体３と該切刃本体の外周を覆う外筒２からなり、切刃本体３は一方の端面に、複数の切刃３ｃを突出して設け、他方の端面には、切刃本体３を押圧するための押圧部１ａを設け、外筒２は、切刃３ｃが設けられている同一の方向の端面に缶縁と嵌合する溝部２ａが設けられており、切刃本体３が外筒内を摺動することにより切刃３ｃが缶を開封することを特徴とするキャンプッシュオープナーである。
【選択図】図１【図１】
0006771135.tif 000003
【図２】
0006771135.tif 000004
【図３】
0006771135.tif 000005
【図４】
0006771135.tif 000006
【図５】
0006771135.tif 000007
【図６】
0006771135.tif 000008
【図７】
0006771135.tif 000009
【図８】
0006771135.tif 000010